(57)【特許請求の範囲】
【請求項１】
昇降路内を昇降される昇降体、
前記昇降路内に設置され、前記昇降体の昇降を案内するガイドレール、及び
前記昇降路内に設置され、前記昇降路のピットと乗場との間の昇降に使用されるピット梯子
を備え、
前記ピット梯子は、前記昇降路内に固定された固定側支柱と、前記固定側支柱に接近した収納位置と前記固定側支柱から離れた使用位置との間で水平方向へ移動可能な可動側支柱と、上下方向に互いに間隔をおいて前記固定側支柱と前記可動側支柱との間に架設されている複数の踏板とを有しており、
前記踏板は、前記可動側支柱の移動により前記固定側支柱に対してスライド可能となっており、
前記可動側支柱が前記収納位置にあるとき、前記踏板の一部が前記ガイドレールの背部に配置されることを特徴とするエレベータ装置。
【請求項２】
前記固定側支柱は、固定腕を介して前記ガイドレールに対して固定されていることを特徴とする請求項１記載のエレベータ装置。
【請求項３】
前記固定側支柱には、前記踏板がスライド可能に通された複数のガイド孔が設けられていることを特徴とする請求項１又は請求項２に記載のエレベータ装置。
【請求項４】
前記昇降路内に固定され、前記固定側支柱から離れる方向への前記可動側支柱の移動を規制するストッパをさらに備えていることを特徴とする請求項１から請求項３までのいずれか１項に記載のエレベータ装置。
【請求項５】
前記可動側支柱を前記ストッパに固定して前記使用位置に保持する固定具をさらに備えていることを特徴とする請求項４記載のエレベータ装置。
【請求項６】
前記可動側支柱を前記収納位置に移動させることにより操作される収納検知スイッチをさらに備え、
前記収納検知スイッチは、前記可動側支柱が前記収納位置から移動されると、前記昇降体の運転を制限するための検知信号を出力することを特徴とする請求項１から請求項５までのいずれか１項に記載のエレベータ装置。
【発明の詳細な説明】
【技術分野】
【０００１】
この発明は、ピットと乗場との間の昇降に使用されるピット梯子がピットに設置されているエレベータ装置に関するものである。
【背景技術】
【０００２】
従来のエレベータのピット梯子は、第１及び第２の支柱と、第１及び第２の支柱間に設けられた複数の踏板とを有しており、通常時（非使用時）には、乗場敷居の下部に収納されている。そして、ピット梯子を使用する際には、ピット梯子が第１の支柱を中心として昇降路内へ９０°回動される（例えば、特許文献１参照）。
【先行技術文献】
【特許文献】
【０００３】
【特許文献１】特開２００３−３２７３７２号公報
【発明の概要】
【発明が解決しようとする課題】
【０００４】
上記のような従来のピット梯子は、乗場敷居の下部に収納されており、使用時に昇降路内へ回動されるため、使用時に第１及び第２の支柱の間にトーガードが配置されることになり、第１及び第２の支柱が掴みづらく、また踏板に足を掛けづらいという問題があった。また、使用時に第２の支柱が昇降路壁から離れて昇降路の中央側に移動されるため、第２の支柱の固定が難しい。
【０００５】
この発明は、上記のような課題を解決するためになされたものであり、簡単な構成により、昇降路内のスペースを有効に利用して省スペース化を図りつつ、作業員が乗場とピット内との間をスムーズに移動することができるエレベータ装置を得ることを目的とする。
【課題を解決するための手段】
【０００６】
この発明に係るエレベータ装置は、昇降路内を昇降される昇降体、昇降路内に設置され、昇降体の昇降を案内するガイドレール、及び昇降路内に設置され、昇降路のピットと乗場との間の昇降に使用されるピット梯子を備え、ピット梯子は、昇降路内に固定された固定側支柱と、固定側支柱に接近した収納位置と固定側支柱から離れた使用位置との間で水平方向へ移動可能な可動側支柱と、上下方向に互いに間隔をおいて固定側支柱と可動側支柱との間に架設されている複数の踏板とを有しており、踏板は、可動側支柱の移動により固定側支柱に対してスライド可能となっており、可動側支柱が収納位置にあるとき、踏板の一部がガイドレールの背部に配置される。
【発明の効果】
【０００７】
この発明のエレベータ装置は、可動側支柱が収納位置と使用位置との間で水平方向へ移動可能になっており、踏板は固定側支柱に対してスライド可能になっており、可動側支柱が収納位置にあるとき、踏板の一部がガイドレールの背部に配置されるので、簡単な構成により、ガイドレールの背部のスペースを有効に利用して省スペース化を図りつつ、作業員が乗場とピット内との間をスムーズに移動することができる。
【図面の簡単な説明】
【０００８】
【図１】この発明の実施の形態１によるエレベータ装置を示す平面図である。
【図２】図１のピット梯子の使用時の状態を示す正面図である。
【図３】図２のピット梯子の要部を示す斜視図である。
【図４】図３のピット梯子の非使用時の状態を示す斜視図である。
【発明を実施するための形態】
【０００９】
以下、この発明を実施するための形態について、図面を参照して説明する。
実施の形態１．
図１はこの発明の実施の形態１によるエレベータ装置を示す平面図である。図において、昇降路１内には、かご（昇降体）２及び釣合おもり（昇降体）３が設けられている。この例では、釣合おもり３は、かご２の後方の領域に配置されている（後ろ落ち式）。
【００１０】
かご２及び釣合おもり３は、懸架手段（図示せず）により昇降路１内に吊り下げられており、巻上機（図示せず）により昇降される。懸架手段としては、複数本のロープ又は複数本のベルトが用いられている。巻上機は、懸架手段が巻き掛けられた駆動シーブと、駆動シーブを回転させるモータと、駆動シーブの回転を制動するブレーキとを有している。
【００１１】
昇降路１内には、かご２の昇降を案内する一対のかごガイドレール４ａ，４ｂと、釣合おもり３の昇降を案内する一対の釣合おもりガイドレール５ａ，５ｂとを有している。かごガイドレール４ａ，４ｂは、かご２の幅方向（図１の上下方向）の両側に配置されている。釣合おもりガイドレール５ａ，５ｂは、釣合おもり３の幅方向の両側に配置されている。
【００１２】
かご２は、前面２ａと、背面２ｂと、第１及び第２の側面２ｃ，２ｄとを有している。かご２の前面２ａには、かご出入口を開閉する一対のかごドア６ａ，６ｂが設けられている。複数の停止階の乗場には、乗場出入口７を開閉する一対の乗場ドア８ａ，８ｂが設けられている。乗場ドア８ａ，８ｂは、かごドア６ａ，６ｂが係合することによりかごドア６ａ，６ｂに連動して開閉動作される。
【００１３】
昇降路１の下部に設けられているピットには、保守点検時に作業員がピットと最下階の乗場との間を昇降するために使用されるピット梯子１１が設置されている。ピット梯子１１は、かご２の第１の側面２ｃと、第１の側面２ｃに対向する昇降路壁１ａとの間に配置されている。即ち、ピット梯子１１は、乗場から昇降路１内を見て左側に配置されている。
【００１４】
図２は図１のピット梯子１１の使用時の状態を示す正面図、図３は図２のピット梯子１１の要部を示す斜視図、図４は図３のピット梯子１１の非使用時の状態を示す斜視図である。
【００１５】
ピット梯子１１は、昇降路１内に固定された固定側支柱１２と、固定側支柱１２に対して水平方向へ移動可能な可動側支柱１３と、上下方向に互いに間隔をおいて固定側支柱１２と可動側支柱１３との間に架設されている複数の踏板１４とを有している。
【００１６】
固定側支柱１２及び可動側支柱１３は、それぞれ帯状の平板により構成され、互いに平行かつ鉛直に配置されている。また、固定側支柱１２及び可動側支柱１３は、かごガイドレール４ａに対して平行に配置されている。
【００１７】
固定側支柱１２は、複数のＬ字形の固定腕１５を介してかごガイドレール４ａに対して固定されている。この例では、固定側支柱１２の上端部近傍と中間部とに固定腕１５が配置されている。固定側支柱１２の下端部は、Ｌ字形のピット固定金具１６を介してピットの床面に固定されている。
【００１８】
可動側支柱１３は、固定側支柱１２に接近した収納位置（図１、４）と、固定側支柱１２から離れた使用位置（図２、３）との間で移動可能になっている。可動側支柱１３は、ピット梯子１１の使用時に使用位置に移動され、ピット梯子１１の非使用時に収納位置に移動される。
【００１９】
また、可動側支柱１３は、例えば、作業員が最下階の乗場出入口７から昇降路１内へ身を乗り出すことにより、直接手動で移動される。乗場出入口７からピット梯子１１までの距離が大きい場合、作業員が専用の把持具等を用いて可動側支柱１３を把持して移動させてもよい。
【００２０】
可動側支柱１３の下端部には、可動側支柱１３の移動を容易にするためのローラ１７が設けられている。
【００２１】
踏板１４は、上下方向に互いに等間隔で水平に配置されている。また、踏板１４の可動側支柱１３側の端部は、可動側支柱１３に固定されている。さらに、踏板１４は、可動側支柱１３の移動により固定側支柱１２に対してスライド可能となっている。固定側支柱１２には、踏板１４がスライド可能に通された複数のガイド孔１２ａが設けられている。
【００２２】
踏板１４の一部（固定側支柱１２から可動側支柱１３とは反対側へ突出した部分）は、可動側支柱１３が収納位置にあるとき、かごガイドレール４ａの背部に配置される。
【００２３】
また、図１に示すように、可動側支柱１３が収納位置にあるとき、ピット梯子１１は、かご２の第１の側面２ｃから突出したかご機器９と干渉しない位置に退避される。かご機器９としては、例えば制御ケーブル又は着床センサ等が挙げられる。
【００２４】
昇降路壁１ａには、可動側支柱１３の上端部が当接することにより、固定側支柱１２から離れる方向への可動側支柱１３の移動を規制するＬ字形のストッパ１８が固定されている。ストッパ１８により可動側支柱１３の移動が規制されることにより、ガイド孔１２ａからの踏板１４の脱落（抜け）も防止されている。
【００２５】
ストッパ１８には、可動側支柱１３をストッパ１８に固定して使用位置に保持する固定具としての蝶ボルト１９が設けられている。可動側支柱１３の上端部には、蝶ボルト１９が羅着されるねじ孔１３ａ（図４）が設けられている。
【００２６】
固定側支柱１２の上端部には、可動側支柱１３を収納位置に移動させることにより可動側支柱１３が当接して操作される収納検知スイッチ２０が設けられている。また、収納検知スイッチ２０は、可動側支柱１３が収納位置から移動されると、かご２の運転を制限するための検知信号を出力する。さらに、可動側支柱１３により収納検知スイッチ２０が操作されると、かご２の運転が可能な状態となる。
【００２７】
このようなエレベータ装置では、可動側支柱１３が収納位置と使用位置との間で水平方向へ移動可能になっており、踏板１４は固定側支柱１２に対してスライド可能になっており、可動側支柱１３が収納位置にあるとき、踏板１４がかごガイドレール４ａの背部に配置されるので、簡単な構成により、かごガイドレール４ａの背部のスペースを有効に利用して省スペース化を図ることができる。
【００２８】
また、可動側支柱１３が昇降路壁１ａの近傍で昇降路壁１ａに沿って水平移動されるので、使用時に可動側支柱１３と固定側支柱１２との間に障害物が存在せず、また使用位置での可動側支柱１３の固定が容易であり、ピット梯子１１を安定して固定することができ、作業員が乗場とピット内との間をスムーズに移動することができる。
【００２９】
さらに、固定腕１５を介して固定側支柱１２をかごガイドレール４ａに固定したので、固定側支柱１２を容易に固定することができる。
さらにまた、固定側支柱１２にガイド孔１２ａを設け、踏板１４をスライド可能に通したので、簡単な構成で踏板１４を固定側支柱１２に対してスライドさせることができる。
【００３０】
また、ストッパ１８により可動側支柱１３の移動を規制したので、可動側支柱１３の操作を容易にすることができるとともに、ガイド孔１２ａからの踏板１４の脱落を防止することができる。
さらに、ストッパ１８に蝶ボルト１９を設けたので、簡単な構成で可動側支柱１３を使用位置に保持することができる。
さらにまた、固定側支柱１２に収納検知スイッチ２０を設けたので、作業員がピット梯子１１を使用するときに、かご２が誤って運転されるのを防止することができる。
【００３１】
なお、エレベータ装置全体のレイアウトは図１に限定されるものではなく、例えば、釣合おもり３はかご２の横の領域に配置されていてもよい（横落ち式）。
また、上記の例では、非使用時にかごガイドレール４ａの背部に踏板１４を収納したが、釣合おもりガイドレールの背部に配置してもよい。
さらに、上記の例では、固定側支柱１２をかごガイドレール４ａに固定したが、かごガイドレール４ａを昇降路壁１ａに固定するためのレールブラケットに固定したり、昇降路壁１ａに固定したりしてもよい。
【００３２】
さらにまた、上記の例では、固定側支柱１２の上端部に収納検知スイッチ２０を取り付けたが、収納検知スイッチ２０は、例えば、固定側支柱１２の他の位置、可動側支柱１３、昇降路壁１ａ又はかごガイドレール４ａ等に取り付けてもよい。例えば、踏板１４により収納検知スイッチ２０が操作されるようにしてもよい。
また、固定具は、蝶ボルト１９に限定されない。
さらに、固定具は、可動側支柱１３側に設けてもよく、また、ピット梯子１１の使用時に作業員が昇降路１内に持ち込んでもよい。
さらにまた、上記の例では可動側支柱１３の下端部にローラ１７を設けたが、ピットの床面に可動側支柱１３の下端部の移動を案内するガイドレールを設けるなどしてもよい。
【符号の説明】
【００３３】
１  昇降路、２  かご（昇降体）、４ａ  かごガイドレール、１１  ピット梯子、１２  固定側支柱、１２ａ  ガイド孔、１３  可動側支柱、１４  踏板、１５  固定腕、１８  ストッパ、１９  蝶ボルト（固定具）、２０  収納検知スイッチ。
【図１】
0005805002.tif 000002
【図２】
0005805002.tif 000003
【図３】
0005805002.tif 000004
【図４】
0005805002.tif 000005